(57)【要約】【課題】沈胴式カメラのカメラボディ内にレンズ鏡筒およびファインダ光学系を効率よく配置する。【解決手段】非撮影時にその一部がカメラボディＢＤ内に沈胴し、撮影時にカメラボディＢＤから繰り出すレンズ駆動筒２１，２２を有し、このレンズ駆動筒２１，２２内に入射した光束を屈折させるための第１の反射板１６を内部に配設するレンズ鏡筒１と、第１の反射板１６の裏側に配設され、撮影時にファインダ接眼窓にて観察される被写体像を導くためのファインダ光学系のファインダ光路を形成する光路形成部材４５とを備え、レンズ鏡筒１の沈胴時にレンズ駆動筒２１，２２の一部が光路形成部材４５に設けた開口部４５ａを貫通してファインダ光路内に進入し、繰り出し時にファインダ光路から退避するように構成した。【選択図】図２
2006145722.tif 000002
【特許請求の範囲】
【請求項１】
非撮影時にその一部がカメラボディ内に沈胴し、撮影時にカメラボディから繰り出すレンズ駆動筒を有し、このレンズ駆動筒内に入射した光束を屈折させるための第１の反射手段を内部に配設するレンズ鏡筒と、
前記第１の反射手段の裏側に配設され、撮影時にファインダ接眼窓にて観察される被写体像を導くためのファインダ光学系のファインダ光路を形成する光路形成部材とを備え、
前記レンズ鏡筒の沈胴時に前記レンズ駆動筒の一部が前記光路形成部材に設けた開口部を貫通して前記ファインダ光路内に進入し、繰り出し時に前記ファインダ光路から退避するように構成したことを特徴とする沈胴式カメラ。
【請求項２】
請求項１に記載の沈胴式カメラにおいて、
前記レンズ鏡筒の沈胴時に前記ファインダ光路内に移動し、繰り出し時に前記光路形成部材に当接して前記開口部の少なくとも一部を閉塞する可動板を有することを特徴とする沈胴式カメラ。
【請求項３】
請求項１に記載の沈胴式カメラにおいて、
前記第１の反射手段の裏側に並設され、前記ファインダ光路を介して導かれた像を屈折させて前記ファインダ接眼窓に導く第２の反射手段を有することを特徴とする沈胴式カメラ。
【請求項４】
非撮影時にその一部がカメラボディ内に沈胴し、撮影時にカメラボディから繰り出すレンズ駆動筒を有し、このレンズ駆動筒内に入射した光束を屈折させて撮像素子に導くための第１の反射手段を内部に配設するレンズ鏡筒と、
前記撮像素子からの信号に基づく画像を表示する表示素子と、
前記第１の反射手段の裏側に並設された第２の反射手段と、
前記第１の反射手段の裏側に配設され、前記表示素子からの画像を第２の反射手段で屈折させてファインダ接眼窓に導くファインダ光学系のファインダ光路を形成する光路形成部材とを備え、
前記表示素子は、前記レンズ駆動筒と干渉しないように前記レンズ鏡筒の内側に設けられることを特徴とする沈胴式カメラ。
【発明の詳細な説明】
【技術分野】
【０００１】
本発明は、カメラボディ内に沈胴可能なレンズ鏡筒を有する沈胴式カメラに関する。
【背景技術】
【０００２】
デジタルカメラなどには、その厚さ寸法を薄くするため、撮影光学系として被写体からの光束を傾斜したミラーで屈折させ、撮像素子に導く屈折光学系を有するものがある（例えば特許文献１参照）。これによれば、ミラーの反対側のデッドスペースに、ファインダ光学系等の部品を配置し、カメラボディ内の部品の効率的な配置を試みている。
【０００３】
【特許文献１】特開２００２−２８７２２４号公報
【発明の開示】
【発明が解決しようとする課題】
【０００４】
しかしながら、上記公報記載のものは沈胴式カメラを対象としたものではない。沈胴式カメラは、非撮影時にレンズ鏡筒をカメラボディ内に収容するためのスペースが必要であり、カメラボディ内に部品を効率的に配置することは難しい。
【課題を解決するための手段】
【０００５】
本発明による沈胴式カメラは、非撮影時にその一部がカメラボディ内に沈胴し、撮影時にカメラボディから繰り出すレンズ駆動筒を有し、このレンズ駆動筒内に入射した光束を屈折させるための第１の反射手段を内部に配設するレンズ鏡筒と、第１の反射手段の裏側に配設され、撮影時にファインダ接眼窓にて観察される被写体像を導くためのファインダ光学系のファインダ光路を形成する光路形成部材とを備え、レンズ鏡筒の沈胴時にレンズ駆動筒の一部が光路形成部材に設けた開口部を貫通してファインダ光路内に進入し、繰り出し時にファインダ光路から退避するように構成したことを特徴とする。
レンズ鏡筒の沈胴時にファインダ光路内に移動し、繰り出し時に光路形成部材に当接して開口部の少なくとも一部を閉塞する可動板を設けることが好ましい。
第１の反射手段の裏側に並設され、ファインダ光路を介して導かれた像を屈折させてファインダ接眼窓に導く第２の反射手段を設けることが好ましい。
本発明による沈胴式カメラは、非撮影時にその一部がカメラボディ内に沈胴し、撮影時にカメラボディから繰り出すレンズ駆動筒を有し、このレンズ駆動筒内に入射した光束を屈折させて撮像素子に導くための第１の反射手段を内部に配設するレンズ鏡筒と、撮像素子からの信号に基づく画像を表示する表示素子と、第１の反射手段の裏側に並設された第２の反射手段と、第１の反射手段の裏側に配設され、表示素子からの画像を第２の反射手段で屈折させてファインダ接眼窓に導くファインダ光学系のファインダ光路を形成する光路形成部材とを備え、表示素子が、レンズ駆動筒と干渉しないようにレンズ鏡筒の内側に設けられることを特徴とする。
【発明の効果】
【０００６】
請求項１〜３の発明によれば、レンズ鏡筒の沈胴時にレンズ駆動筒の一部がファインダ光路内に進入し、繰り出し時にファインダ光路から退避するようにした。また、請求項４の発明によれば、レンズ鏡筒の内部の第１の反射手段の裏側に第２の反射手段を並設し、ファインダ光学系の表示素子をレンズ鏡筒の内側に設けるようにした。これにより沈胴式カメラのレンズ鏡筒とファインダ光学系の構成部品をカメラボデイ内に効率的に配置することができる。
【発明を実施するための最良の形態】
【０００７】
−第１の実施の形態−
図１〜図５を参照して本発明による沈胴式カメラの第１の実施の形態について説明する。
図１は第１の実施の形態に係るカメラの内部構成（主に撮影光学系とファインダ光学系の構成）を示す正面図であり、図２はレンズ鏡筒の沈胴状態を示す側面図、図３はレンズ鏡筒の繰り出し状態を示す側面図である。なお、以下では説明の便宜上、図２，３に示すように前後方向を定義する。レンズ鏡筒１は、例えばカメラボディＢＤの上面に設けられた電源スイッチ（不図示）のオン操作により図３に示すようにカメラボディＢＤから繰り出し、オフ操作により図２に示すようにカメラボディＢＤ内に沈胴する。
【０００８】
レンズ鏡筒１内にはカメラの厚さ方向（前後方向）に１群レンズ１１と２群レンズ１２が移動可能に配設され、高さ方向（上下方向）に３群レンズ１３と４群レンズ１４と５群レンズ１５が移動可能に配設されている。２群レンズ１２と３群レンズ１３の間にはミラーなどの反射板１６が配設され、５群レンズ１５の下方にローパスフィルタ１７とＣＣＤなどの撮像素子１８が固設されている。撮影時には、被写体からの光束がレンズ１１，１２を透過した後、反射板１６にて下方に屈折される。屈折された光束はレンズ１３〜１５を透過し、ローパスフィルタ１７を介して撮像素子１８に達する。すなわち撮影光学系は屈折光学系として構成され、レンズ１１〜１５の駆動によりズーミングとフォーカシングを行う。
【０００９】
３群レンズ１３，４群レンズ１４，５群レンズ１５は、高さ方向に延在したガイドバー１９により案内されつつ、それぞれステッピングモータ３１〜３３の駆動により上下方向（光軸方向）に移動する。これらレンズ１３〜１５の位置はそれぞれフォトインタラプタ３４〜３６により検出される。
【００１０】
１群レンズ１１と２群レンズ１２の外周側には直進筒２１が、直進筒２１の外周側にはカム筒２２が、カム筒２２の外周側には固定筒２３がそれぞれ配設され、固定筒２３はカメラボディＢＤ内に固設されている。これら直進筒２１，カム筒２２，固定筒２３はレンズ鏡筒１を構成する。ステッピングモータ３７にはギヤ３８を介してカム筒２２の外周面のギヤ部が噛合され（図１）、ステッピングモータ３７の駆動によりカム筒２２が回転する。各ステッピングモータ３１〜３３，３７の駆動は、電源スイッチの操作によるオンオフ信号やズームスイッチの操作によるズーム信号等に基づき、図示しないモータ制御部が制御する。
【００１１】
固定筒２３の内周面には、その展開図である図４に示すようにカム溝２３ａが形成され、このカム溝２３ａにカム筒２２の外周面に設けられた凸部が係合している。電源オフ時にカム筒２２の凸部は図４のＲ位置（初期位置）にあり、電源オン時にＷ位置（ワイド位置）にある。すなわち電源オン／オフによりカム筒２２が所定量回転し、カム筒２２の凸部はカム溝２３ａに沿って移動する。これによりカム筒２２は固定筒２３内を前後方向（光軸方向）に進退する。電源オン後は、ズームスイッチの操作によりカム筒２２が回転し、カム筒２２の凸部がＷ位置とＴ位置（テレ位置）の間を移動する。この場合、Ｗ位置とＴ位置の間のカム溝２３ａは円周方向に設けられているため、カム筒２２は回転するだけで、光軸方向には進退しない。
【００１２】
また、固定筒２３の内周面には図示しない直進溝が形成され、この直進溝に直進筒２１の外周面に設けられた凸部がカム筒２２を介さずに係合している。直進筒２１はカム筒２２に対し相対回転可能に、かつ、軸方向へは相対移動不能に設けられている。これにより直進筒２１は回転せず、カム筒２２と一体に光軸方向に移動する。なお、直進筒２１の後端面はカム筒２２よりも後方に突出している。
【００１３】
１群レンズ１１と２群レンズ１２はそれぞれ支持枠２４，２５により支持され、支持枠２４，２５の外周面には凸部２４ａ，２５ａが設けられている。カム筒２２の内周面には、一対のカム溝が形成され、これら各カム溝に、直進筒２１に設けられた直進孔を貫通して支持枠２４，２５の凸部２４ａ，２５ａがそれぞれ係合している。これによりカム筒２２が回転すると、レンズ１１，１２は回転することなくカム筒２２の内周面のカム溝に沿って前後方向に移動する。以上の説明からわかるように、直進筒２１，カム筒２２はレンズ駆動筒を構成する。
【００１４】
図３に示すように、ファインダ光学系は、カメラの後面に設けられたファインダ観察窓に設けた接眼レンズ４１と、反射板１６の裏側に接眼レンズ４１に面して傾斜して配置されたミラーなどの反射板４２と、反射板４２の上方に配置された保護ガラス４３と液晶ビューファインダや電子ビューファインダなどの表示素子４４とを有する。すなわちファインダ光学系は屈折光学系として構成される。
【００１５】
表示素子４４には撮像素子１８で撮像された画像がリアルタイムで表示され、その表示画像は反射板４２で屈折され、接眼レンズ４１を介して拡大して観察される。反射板１６，４２，保護ガラス４３，表示素子４４，接眼レンズ４１は、カメラボディＢＤ内に設けられた光路形成部材４５にそれぞれ固設されている。光路形成部材４５は、断面が角筒状に形成され、表示素子４４から接眼レンズ４１に至るファインダ光路を形成する。
【００１６】
図２に示すように、本実施の形態ではレンズ鏡筒１の沈胴時に、レンズ鏡筒１の一部（直進筒２１）がファインダ光路内に進入する。換言すると、レンズ鏡筒１の内側にファインダ光学系の構成部品の一部が位置する。以下、この点について説明する。
【００１７】
図５は図２のV-V線断面図である。図２，５に示すように光路形成部材４５の前面部には略矩形状の開口部４５ａが設けられ、開口部４５ａを直進筒２１の上端部が貫通している。この上端部の後端には後端折曲部２１ａが形成され、この後端折曲部２１ａの後端面にはばね２６（図３）を介して可動板２７が支持され、可動板２７には直進筒２１に近接させるような付勢力が作用している。左右の光路形成部材４５の内面部には前後方向にわたって凹部４５ｂが設けられ、凹部４５ｂに可動板２７の凸部２７ａが嵌合し、可動板２７は凹部４５ｂに沿って前後方向に移動可能となっている。可動板２７の面積は開口部４５ａよりも大きく、開口部４５ａは可動板２７により遮光可能となっている。
【００１８】
第１の実施の形態に係る沈胴式カメラの特徴的な動作を説明する。
（１）沈胴状態
電源スイッチをオフすると、ステッピングモータ３１〜３３の駆動により、図２に示すようにレンズ１３〜１５がカム筒２２よりも下方の初期位置に移動する。また、ステッピングモータ３７の駆動により、カム筒２２の凸部がカム溝２３のＲ位置（図４）に移動し、レンズ鏡筒１（カム筒２２，直進筒２１）が図２に示すようにカメラボディＢＤ内に沈胴するとともに、カメラボディＢＤ内にレンズ１１，１２が収容される。この場合、レンズ３１〜３３が初期位置に移動した後、直進筒２１が沈胴するようにモータ制御部がステッピングモータ３１〜３５，３７の駆動を制御する。
【００１９】
このとき、直進筒２１の後端部は光路形成部材４５の開口部４５ａを貫通してファインダ光路内に進入する。このため撮影光学系およびファインダ光学系をカメラボディＢＤ内に効率よく収容することができ、カメラの薄型化を図ることができる。すなわち非撮影時に、直進筒２１の後端部をファインダ光学系の光路形成部材４５の内側に配置するので、レンズ鏡筒１の進退する空間を避けてファインダ光学系を形成する必要がなく、カメラボディＢＤ内に撮影光学系とファインダ光学系をコンパクトに収容することができる。
【００２０】
（２）繰り出し状態
電源スイッチをオンすると、ステッピングモータ３７の駆動により、カム筒２２の凸部がカム溝２３のＷ位置（図４）に移動し、レンズ鏡筒１（カム筒２２，直進筒２１）が図３に示すようにカメラボディＢＤ内から繰り出されるとともに、レンズ１１，１２がワイド状態にセットされる。また、ステッピングモータ３１〜３３の駆動により、レンズ１３〜１５もワイド状態にセットされる。この場合、直進筒２１が繰り出した後、レンズ１３〜１５が移動するようにモータ制御部がステッピングモータ３１〜３５，３７の駆動を制御する。
【００２１】
このとき、直進筒２１の移動に伴い、可動板２７は溝４５ｂに沿ってばね２６の付勢力により前方に移動する。そして、可動板２７が光路形成部材４５の内壁面に当接し、開口部４５ａが閉塞される。その結果、開口部４５を介してのファインダ光学系からレンズ鏡筒１への光の入射、およびレンズ鏡筒１からファインダ光学系への光の入射を防ぐことができる。
【００２２】
以上の第１の実施の形態によれば、以下のような作用効果を奏することができる。
（１）レンズ鏡筒１の沈胴時にレンズ鏡筒１の一部（直進筒２１の後端部）がファインダ光学系の光路形成部材４５を貫通してファインダ光路内に進入し、レンズ鏡筒１の繰り出し時にファインダ光路内から退避するようにした。換言すれば、レンズ鏡筒１の沈胴時にファインダ光学系の一部（光路形成部材４５と反射板４２の一部）がレンズ鏡筒内に位置し、レンズ鏡筒１の繰り出し時にレンズ鏡筒外に位置するようにした。これによりレンズ鏡筒１の収容スペースとファインダ光学系の収容スペースを互いに独立して設ける必要がないため、レンズ鏡筒１とファインダ光学系の構成部品をカメラボディ内にコンパクトに収容することができ、カメラの小型化，薄型化が可能となる。
【００２３】
（２）直進筒２１の後端折曲部２１ａにばね２６を介して可動板２７を設けるようにしたので、レンズ鏡筒１の繰り出し時に光路形成部材４５の開口部４５ａが可動板２７により閉塞され、開口部４５ａを遮光することができる。その結果、開口部４５ａを介しての光の入射を防ぐことができ、良好な撮影が可能である。
（３）撮影光学系とファインダ光学系をそれぞれ屈折光学系として構成し、各光学系の反射板１６，４２を隣接して配置するので、レンズ鏡筒１とファインダ光学系の構成部品をカメラボディＢＤ内に効率よく配置することができる。
【００２４】
−第２の実施の形態−
図６〜図８を参照して本発明による沈胴式カメラの第２の実施の形態について説明する。
第１の実施の形態では、レンズ鏡筒の沈胴時にレンズ鏡筒の一部（直進筒２１）をファインダ光路内に進入させたが、第２の実施の形態では、ファインダ光路内に進入させないようにファインダ光学系を構成する。図６は第２の実施の形態に係るカメラの内部構成を示す正面図であり、図７はレンズ鏡筒の沈胴状態を示す側面図、図８はレンズ鏡筒の繰り出し状態を示す側面図である。なお、図１〜３と同一の箇所には同一の符号を付し、以下ではその相違点を主に説明する。
【００２５】
第２の実施の形態の光路形成部材５０は第１の実施の形態の光路形成部材４５よりも上下方向に短く形成されている。このため、光路形成部材５０の上端部および表示素子４４は直進筒２１の上端部よりも下方に位置し、レンズ鏡筒１の内側にファインダ光学系の構成部品（光路形成部材５０，表示素子４４，反射板４２）が位置する。このためレンズ鏡筒１の沈胴時に直進筒２１やカム筒２２がファインダ光学系の構成部品に干渉することはない。また、レンズ鏡筒１の沈胴時にファインダ光路が遮られることはないため、第１の実施の形態のように光路形成部材４５に開口部４５ａを設けたり、開口部４５ａを塞ぐための可動部材２７を設ける必要はない。
【００２６】
このように第２の実施の形態では、光路形成部材５０の高さを低くし、表示素子４４をレンズ鏡筒１の内側に配置するようにしたので、第１の実施の形態に比べ構成が簡素化される。また、非撮影時にも接眼レンズ４１を介して表示素子４４の画像を観察することができる。したがって、非撮影時に再生画像の観察が可能となる。
【００２７】
なお、上記実施の形態ではレンズ鏡筒１内にレンズ１１〜１５を配置したが、レンズの個数や配置はこれに限らない。カム筒２２と直進筒２１をカメラボデイＢＤに対し進退可能としたが、レンズ駆動筒は１つでもよく３つ以上でもよい。撮影光学系およびファインダ光学系をそれぞれ反射板１６（第１の反射手段）および反射板４２（第２の反射手段）を用いて屈折光学系としたが、屈折方向は上述したものに限らない。反射板以外の反射手段（例えばプリズム）を用いてもよい。沈胴時にカメラボディＢＤ内にレンズ１１が完全に沈胴するように構成されているが、レンズ１２が後方へ移動するものであればよく、必ずしもレンズ１１がカメラボディＢＤ内に沈胴する必要はない。
【００２８】
また、上記第１の実施の形態では、接眼レンズ４１を介して表示素子４４の画像を観察するようにしたが、撮影光学系の被写体光束の一部をファインダ光路に導き、表示素子４４を介さずに被写体像を観察してもよい。光路形成部材４５の形状、開口部４５ａの形状、および可動板２７の形状は上述したものに限らない。反射板１６，４２の形状および取付位置も上述したものに限らない。すなわちレンズ鏡筒１の沈胴時にレンズ駆動筒の一部が光路形成部材４５の開口部４５ａを貫通してファインダ光路内に進入し、繰り出し時にファインダ光路から退避するのであれば、沈胴式カメラの構成は上述したものに限らない。
【００２９】
上記第２の実施の形態では、ファインダ光学系の一部がレンズ鏡筒１の内側に配置されるようにしたが、少なくとも表示素子４４がレンズ駆動筒と干渉しないようにファインダ光学系の内側に配置されるのであれば、他の構成は上述したものに限らない。本発明は、例えば撮影光学系が単焦点のもの等、種々の沈胴式カメラに適用できる。
【図面の簡単な説明】
【００３０】
【図１】本発明の第１の実施の形態に係る沈胴式カメラの内部構成を示す正面図。
【図２】本発明の第１の実施の形態に係る沈胴式カメラの沈胴状態における内部構成を示す側面図。
【図３】本発明の第１の実施の形態に係る沈胴式カメラの繰り出し状態における内部構成を示す側面図。
【図４】固定筒の内周面に形成されたカム溝を示す展開図。
【図５】図２のV-V線断面図。
【図６】本発明の第２の実施の形態に係る沈胴式カメラの内部構成を示す正面図。
【図７】本発明の第２の実施の形態に係る沈胴式カメラの沈胴状態における内部構成を示す側面図。
【図８】本発明の第２の実施の形態に係る沈胴式カメラの繰り出し状態における内部構成を示す側面図。
【符号の説明】
【００３１】
１  レンズ鏡筒
１６  反射板
２１  直進筒
２２  カム筒
２３  固定筒
２７  可動板
４２  反射板
４４  表示素子
４５  光路形成部材
４５ａ  開口部
５０  光路形成部材
ＢＤ  カメラボディ
【図１】
2006145722.tif 000003
【図２】
2006145722.tif 000004
【図３】
2006145722.tif 000005
【図４】
2006145722.tif 000006
【図５】
2006145722.tif 000007
【図６】
2006145722.tif 000008
【図７】
2006145722.tif 000009
【図８】
2006145722.tif 000010